(57)【要約】【課題】入賞装置を遊技領域中の狭い空きスペースに設置できるようにする。【解決手段】遊技球を取り入れるための入賞口１２が開口された基台１０と入賞口よりも遊技球の自由落下方向下側に位置されて基台に取り付けられた遊技球誘導体１４とを有し、遊技球誘導体によって弾かれた遊技球が入賞口に誘導されるように構成する。【選択図】図１
2007330341.tif 000002
【特許請求の範囲】
【請求項１】
遊技球を取り入れるための入賞口が開口された基台と、
前記入賞口よりも前記遊技球の自由落下方向下側に位置されて前記基台に取り付けられた遊技球誘導体と、
を有し、
前記遊技球誘導体によって弾かれた前記遊技球が前記入賞口に誘導されるように構成したことを特徴とする弾球遊技機における入賞装置。
【請求項２】
前記基台は鉛直に遊技盤面に取り付けられ、前記遊技球誘導体は水平に前記基台に取り付けられていることを特徴とする請求項１に記載の弾球遊技機における入賞装置。
【請求項３】
前記基台は鉛直に遊技盤面に取り付けられ、前記遊技球誘導体は水平方向上側に傾斜させて前記基台に取り付けられていることを特徴とする請求項１に記載の弾球遊技機における入賞装置。
【請求項４】
前記遊技球誘導体は上面が略棒状であることを特徴とする請求項１から３のいずれかに記載の弾球遊技機における入賞装置。
【発明の詳細な説明】
【技術分野】
【０００１】
本発明は、遊技領域中の狭い空きスペースであっても設置が容易であり、装飾的効果を損なうこともない、弾球遊技機における入賞装置に関する。
【背景技術】
【０００２】
弾球機の遊技盤面には、例えば、特許文献１に示されているように、打ち込まれた遊技球の落下運動に予期できない不規則性を与える多数の遊技くぎと、落下途中の遊技球を取り込む複数の入賞装置とが配置されている。
【０００３】
一般的な入賞装置は、装飾部分を除けば、遊技球を取り込みやすいように、上面のみが開口された立方体または直方体の形状を有しており、特許文献１の図１から図４を見ればわかるとおり、１つの入賞口を備える単体の入賞装置であってもその設置にはある程度のスペースが必要とされる。
【０００４】
また、設置の省スペース化を図るために、特許文献１の図１、図２に示されているように、複数の入賞口を連接して設けた入賞装置もあるが、これでも省スペース化には一定の限界がある。
【特許文献１】特開２００２−２３９１０２号公報（図１−図４）
【発明の開示】
【発明が解決しようとする課題】
【０００５】
近年、遊技盤面の正面に設置される図柄表示装置などの演出表示器やこれを装飾するセンター飾りの大型化に伴って、いわゆる「普通入賞口」と称される入賞口を備えた入賞装置の設置スペースが徐々に取り難くなってきており、入賞装置の小型化の要望が強くなって来ている。
【０００６】
この要望に応えるべく、従来の入賞装置の小型化を図ろうとすると、勢い入賞装置の装飾を極端に簡素化するしかなく、装飾の簡素化は遊技盤面の趣向としての華やかさを奪う結果となることから、外見的印象が遊技者の遊技を喚起させる要因となる弾球遊技機にとっては好ましいことではない。
【０００７】
本発明は、以上のような従来の問題点を解消するために成されたものであり、遊技領域中の狭い空きスペースであっても設置が容易であり、装飾的効果を損なうこともない、弾球遊技機における入賞装置の提供を目的とする。
【課題を解決するための手段】
【０００８】
上記目的を達成するための本発明に係る弾球遊技機における入賞装置は、遊技球を取り入れるための入賞口が開口された基台と、前記入賞口よりも前記遊技球の自由落下方向下側に位置されて前記基台に取り付けられた遊技球誘導体と、を有し、前記遊技球誘導体によって弾かれた前記遊技球が前記入賞口に誘導されるように構成したことを特徴とする。
【発明の効果】
【０００９】
本発明に係る弾球遊技機における入賞装置によれば、入賞装置を、基台に入賞口を開口し、その入賞口よりも遊技球の自由落下方向下側に、遊技球を弾いて入賞口に導く遊技球誘導体を設けることによって構成したので、遊技領域中の狭い空きスペースであっても、入賞装置の設置が容易になる。
【発明を実施するための最良の形態】
【００１０】
以下に、本発明に係る弾球遊技機における入賞装置を図面に基づいて詳細に説明する。
【００１１】
図１から図３は入賞口が１箇所にだけ設けられているタイプの弾球遊技機における入賞装置を示した図である。図１は、基台の根本から先端に向かって先細りになっている断面円形状の遊技球誘導体を備えた弾球遊技機における入賞装置を示した図であり、図２は、基台の根本から先端に向かって先細りになっている断面方形状の遊技球誘導体を備えた弾球遊技機における入賞装置を示した図であり、図３は、断面方形状の太さが一定の棒状の遊技球誘導体を備えた弾球遊技機における入賞装置を示した図である。
【００１２】
図１において、（Ａ）は遊技盤に取り付けられている状態の入賞装置１００の平面図を、（Ｂ）は遊技盤に取り付けられている状態の入賞装置１００の上面図を、（Ｃ）は遊技盤に取り付けられている状態の入賞装置１００の側面図をそれぞれ示している。
【００１３】
同図（Ａ）に示すように、基台１０は取り付けネジ２０Ａ、２０Ｂによって遊技盤３０にネジ止めされている。基台１０はその左右中央部の上側に遊技球を取り入れるための入賞口１２を有している。また基台１０は入賞口１２よりも遊技球の自由落下方向下側にその上面が略棒状である遊技球誘導体１４を有している。遊技球誘導体１４は入賞口１２の左右中央部に設けられるのが好ましい。また、遊技球誘導体１４はその上面が入賞口１２の下側開口面と面一になるように設けられるのが好ましい。
【００１４】
このような構成を有する入賞装置１００が遊技盤３０に取り付けられていると、遊技盤３０に打ち込まれた遊技球が自由落下によって遊技球誘導体１４によって弾かれ、弾かれた遊技球が入賞口１２に誘導されて入賞することになる。
【００１５】
同図（Ａ）では示していないが、基台１０の表面には、少なくとも一般的に行なわれている絵柄の装飾が、または豆粒大ほどの小さな様々な色のＬＥＤが散りばめられた光による装飾が、それぞれ施されている。基台１０の表面に装飾を施すことは遊技者の遊技指向を喚起させる点で重要である。
【００１６】
図１（Ｂ）、（Ｃ）に示すように、基台１０は遊技盤面３０Ａに鉛直に取り付けられている。また、遊技球誘導体１４は基台１０に水平に取り付けられている。
【００１７】
遊技球誘導体１４は伸延する方向の垂直断面形状が円形の棒状となっており、遊技球誘導体１４は基台１０に取り付けられている部分、すなわち根本から先端に向かって徐々に先細りになっている。遊技球誘導体１４を徐々に先細りになる形状としたのは、遊技球に対して強度を確保するためであるが、その形状は図に示したものに限られない。少なくとも、遊技球誘導体１４はその垂直断面形状の断面積が先端よりも根本の方が大きくなっていればよい。
【００１８】
基台１０は入賞した遊技球を入賞口１２から遊技盤３０内に導く導球路４０を有している。遊技球誘導体１４は導球路４０内に入り込むようにして取り付けられているが、導球路４０内における遊技球誘導体１４の上部は、入賞口１２から取り込まれた遊技球が導球路４０内をスムースに転がるようにテーパー形状となっている。導球路４０の途中には入賞した遊技球を検出するセンサ５０が取り付けられている。
【００１９】
遊技球誘導体１４は金属または樹脂によって形成することができるが、樹脂で形成する場合には一定の強度を持っていなければならないのは言うまでもない。遊技球誘導体１４が金属である場合、基台１０と遊技球誘導体１４とは別々に取り付けなければならないが、遊技球誘導体１４を樹脂で形成する場合、基台１０と遊技球誘導体１４（もちろん導球路４０も）とは一体的に形成することができる。
【００２０】
図２において、（Ａ）は遊技盤に取り付けられている状態の入賞装置１００の平面図を、（Ｂ）は遊技盤に取り付けられている状態の入賞装置１００の上面図を、（Ｃ）は遊技盤に取り付けられている状態の入賞装置１００の側面図をそれぞれ示している。この図において、図１に示した入賞装置１００と唯一異なるのは、遊技球誘導体１４の伸延する方向の垂直断面形状が方形の棒状となっていることだけである。その他の入賞装置１００の構成部分は図１に示した入賞装置１００と全く同一であるので、その詳細な説明は省略する。
【００２１】
図３において、（Ａ）は遊技盤に取り付けられている状態の入賞装置１００の平面図を、（Ｂ）は遊技盤に取り付けられている状態の入賞装置１００の上面図を、（Ｃ）は遊技盤に取り付けられている状態の入賞装置１００の側面図をそれぞれ示している。この図において、図１に示した入賞装置１００と異なるのは、遊技球誘導体１４の伸延する方向の垂直断面形状が方形の棒状となっていることと、遊技球誘導体１４の太さが一定であることだけである。その他の入賞装置１００の構成部分は図１に示した入賞装置１００と全く同一であるので、その詳細な説明は省略する。
【００２２】
図１から図３に示した入賞装置１００に言えることであるが、遊技球誘導体１４の取り付け角度を工夫したり、基台１０の遊技盤３０に対する取り付け角度を工夫したりすると、遊技球誘導体１４で弾かれた遊技球が入賞口１２に導かれやすくなり入賞率をアップさせることができる。
【００２３】
入賞率をアップさせる手法としては、図４から図６に示すように、遊技球誘導体１４を水平方向上側に傾斜させて取り付ける方法、基台１０を遊技盤面３０Ａに対して遊技者側に傾斜させて取り付ける方法、遊技球誘導体１４と基台１０の両方を傾斜させて取り付ける方法がある。これらの入賞率をアップさせる手法をさらに詳細に説明する。
【００２４】
図４から図６は、図１（Ｂ）のＡ−Ａ断面図に相当する図である。
【００２５】
図４に示すものは、遊技球誘導体１４を水平方向上側に傾斜させることによって入賞率をアップさせるようにしたものである。基台１０は鉛直に遊技盤面３０Ａに取り付けられている。そして、遊技球誘導体１４はその上面を水平方向上側に５度程度傾斜させて基台１０に取り付けられている。このように遊技球誘導体１４を上側に傾斜させることによって遊技球誘導体１４で弾かれた遊技球が入賞口１２に取り入れ易くなる。
【００２６】
図５に示すものは、基台１０の上端を遊技盤面３０Ａに対して遊技者から遠ざかる方向に、すなわち遊技盤３０の後ろ側方向に傾斜させて取り付けることによって入賞率を調整させるようにしたものである。基台１０は鉛直から５度程度遊技盤３０の後ろ側に傾斜させて遊技盤面３０Ａに取り付けられている。しかしながら、遊技球誘導体１４は水平に基台１０に取り付けられている。このように、基台１０を遊技者側に傾斜させることによって遊技球誘導体１４で弾かれた遊技球の入賞率を調整することができる。
【００２７】
図６に示すものは、遊技球誘導体１４と基台１０の両方を傾斜させることによって、つまり図４と図５に示した手法を組み合わせることによって、入賞率を調整させるようにしたものである。遊技球誘導体１４は図４に示したようにその上面を水平方向上側に５度程度上側に傾斜させて基台１０に取り付けられている。さらに、基台１０は図５に示したように鉛直から５度程度遊技盤３０の後ろ側に傾斜させて遊技盤面３０Ａに取り付けられている。このように、遊技球誘導体１４と基台１０の両方を傾斜させることによっても遊技球誘導体１４で弾かれた遊技球の入賞率を調整することができる。
【００２８】
なお、図４から図６において、遊技球誘導体１４の傾斜角度および基台１０の取り付け角度を５度程度とした場合を例示したが、５度から１０度の間で傾斜角度または取り付け角度を異ならせるようにしても良い。具体的には、遊技球誘導体１４のみの角度を調整できる機構を設けたり、基台１０の取り付け角度を調整できる機構を設けたりして、入賞率の調整ができるようにすることも可能である。
【００２９】
以上は、入賞口が１箇所にだけ設けられている入賞装置１００の説明であるが、次に、入賞口が複数設けられている入賞装置を図７に基づいて説明する。
【００３０】
図７は入賞口が４箇所設けられているタイプの弾球遊技機における入賞装置２００を示した図である。
【００３１】
図７に示すように、基台１１０は取り付けネジ１２０Ａ、１２０Ｂによって遊技盤１３０にネジ止めされている。基台１１０はその上下左右方向に千鳥状に遊技球を取り入れるための４箇所の入賞口１１２Ａ、１１２Ｂ、１１２Ｃ、１１２Ｄを有している。各入賞口１１２Ａ、１１２Ｂ、１１２Ｃ、１１２Ｄのそれぞれに対して、各入賞口１１２Ａ、１１２Ｂ、１１２Ｃ、１１２Ｄよりも遊技球の自由落下方向下側に遊技球誘導体１１４Ａ、１１４Ｂ、１１４Ｃ、１１４Ｄが設けられている。各遊技球誘導体１１４Ａ、１１４Ｂ、１１４Ｃ、１１４Ｄは各入賞口１１２Ａ、１１２Ｂ、１１２Ｃ、１１２Ｄの左右中央部に設けられるのが好ましい。また、各遊技球誘導体１１４Ａ、１１４Ｂ、１１４Ｃ、１１４Ｄはその上面が各入賞口１１２Ａ、１１２Ｂ、１１２Ｃ、１１２Ｄの下側開口面と面一になるように設けられるのが好ましい。
【００３２】
このような構成を有する入賞装置２００が遊技盤１３０に取り付けられていると、遊技盤１３０に打ち込まれた遊技球が自由落下によっていずれかの遊技球誘導体１１４Ａ、１１４Ｂ、１１４Ｃ、１１４Ｄによって弾かれ、弾かれた遊技球がいずれかの入賞口１１２Ａ、１１２Ｂ、１１２Ｃ、１１２Ｄに誘導されて入賞することになる。
【００３３】
図７では示していないが、基台１１０の表面には、少なくとも一般的に行なわれている絵柄の装飾が、または豆粒大ほどの小さな様々な色のＬＥＤが散りばめられた光による装飾が、それぞれ施されている。基台１１０の表面に装飾を施すことは遊技者の遊技指向を喚起させる点で重要である。
【００３４】
１箇所ごとの入賞装置１００Ａ、１００Ｂ、１００Ｃ、１００Ｄの構成は図１から図６で説明した入賞装置１００の構成のいずれを採用しても良い。
【００３５】
すなわち、基台１１０を鉛直に遊技盤面１３０Ａに取り付け、各遊技球誘導体１１４Ａ、１１４Ｂ、１１４Ｃ、１１４Ｄを水平に基台１１０に取り付けても良いし、基台１１０を鉛直に遊技盤面１３０Ａに取り付け、各遊技球誘導体１１４Ａ、１１４Ｂ、１１４Ｃ、１１４Ｄをそれぞれ５度程度その上面を水平方向上側に傾斜させて基台１１０に取り付けても良いし、基台１１０の上端を遊技盤１３０の後ろ側方向に５度程度傾斜させて遊技盤面１３０Ａに取り付け、各遊技球誘導体１１４Ａ、１１４Ｂ、１１４Ｃ、１１４Ｄを水平に基台１１０に取り付けても良いし、基台１１０の上端を遊技盤１３０の後ろ側方向に５度程度傾斜させて遊技盤面１３０Ａに取り付け、さらに、各遊技球誘導体１１４Ａ、１１４Ｂ、１１４Ｃ、１１４Ｄをそれぞれ５度程度その上面を水平方向上側に傾斜させて基台１１０に取り付けても良い。
【００３６】
また、各遊技球誘導体１１４Ａ、１１４Ｂ、１１４Ｃ、１１４Ｄをその上面を水平方向上側に傾斜させて基台１１０に取り付ける場合、少なくとも１つの遊技球誘導体の水平方向の傾斜角度は他の遊技球誘導体の傾斜角度と異ならせても良い。例えば、遊技球誘導体１１４Ａと１１４Ｄの水平方向の傾斜角度を５度に設定して、残りの遊技球誘導体１１４Ｂ、１１４Ｃの水平方向の傾斜角度を１０度に設定してしても良い。さらには、全ての遊技球誘導体１１４Ａ、１１４Ｂ、１１４Ｃ、１１４Ｄの水平方向の傾斜角度を５度から１０度の間で角度を異ならせるようにしても良い。
【００３７】
なお、図７に示した各遊技球誘導体１１４Ａ、１１４Ｂ、１１４Ｃ、１１４Ｄのそれぞれは伸延する方向の垂直断面形状が円形の棒状であるが、方形の棒状であっても良い。また、図７に示した各遊技球誘導体１１４Ａ、１１４Ｂ、１１４Ｃ、１１４Ｄのそれぞれは、強度を確保するために、垂直断面形状の断面積が先端よりも基台１１０に取り付けられている根本の方が大きくなっている。遊技球誘導体１１４Ａ、１１４Ｂ、１１４Ｃ、１１４Ｄのそれぞれは金属または樹脂によって形成することができる。遊技球誘導体１１４Ａ、１１４Ｂ、１１４Ｃ、１１４Ｄを樹脂によって形成する場合、基台１１０と遊技球誘導体１１４Ａ、１１４Ｂ、１１４Ｃ、１１４Ｄとは一体的に形成するのが望ましい。
【００３８】
入賞装置２００は、図７に示すように、遊技球の自由落下方向上部から側部にかけて、基台１１０の右肩部および左肩部に、入賞口１１２Ａ、１１２Ｂ、１１２Ｃ、１１２Ｄを覆う八の字状の屋根１４０Ａ、１４０Ｂが取り付けられている。この屋根１４０Ａ、１４０Ｂは、遊技球が簡単には入賞装置２００内に入らないように入賞率を制御する一方、入賞装置２００内に入って遊技球誘導体１１４Ａ、１１４Ｂ、１１４Ｃ、１１４Ｄで跳ね返った遊技球を入賞装置２００内に留めておく作用をするものである。
【００３９】
入賞装置２００に設けられている屋根１４０Ａ、１４０Ｂの形状は、図７に示すように八の字状であっても良いし、逆八の字状であってもよい。屋根１４０Ａ、１４０Ｂは樹脂によって形成することが望ましい。基台１１０が樹脂で形成されている場合には、少なくとも基台１１０と屋根１４０Ａ、１４０Ｂは一体的に形成することが望ましい。さらには、基台１１０、屋根１４０Ａ、１４０Ｂ、遊技球誘導体１１４Ａ、１１４Ｂ、１１４Ｃ、１１４Ｄを全て樹脂で一体形成しても良い。
【００４０】
図８は、図７に示した入賞装置２００の一部破断断面図である。
【００４１】
基台１１０はその裏側に、いずれかの入賞口１１２Ａ、１１２Ｂ、１１２Ｃ、１１２Ｄから入賞した遊技球を入賞口１１２Ａ、１１２Ｂ、１１２Ｃ、１１２Ｄから一括して遊技盤１３０内に導くことができる導球路１４０を有している。導球路１４０の途中には入賞した遊技球を検出する１つのセンサ１５０が取り付けられている。つまり、１つのセンサ１５０によって入賞口１１２Ａ、１１２Ｂ、１１２Ｃ、１１２Ｄから入賞した全ての遊技球を検知することができるようになっている。
【００４２】
図９および図１０は、入賞装置２００を被う屋根を遊技盤１３０に打ち込むくぎ群で構成した弾球遊技機である。
【００４３】
図９に示す弾球遊技機は、遊技球の自由落下方向上部から側部にかけて入賞装置２００の右肩部および左肩部を被うように、遊技盤１３０に遊技くぎ群１６０Ａ、１６０Ｂを八の字状に打ち込んでいる。遊技くぎ群１６０Ａ、１６０Ｂは、入賞装置２００を被う屋根として作用する。
【００４４】
これらの屋根は、遊技球が簡単には入賞装置２００内に入らないように入賞率を制御する一方、入賞装置２００内に入って遊技球誘導体１１４Ａ、１１４Ｂ、１１４Ｃ、１１４Ｄで跳ね返った遊技球を入賞装置２００内に留めておく作用をするものである。
【産業上の利用可能性】
【００４５】
本発明に係る弾球遊技機における入賞装置、およびその入賞装置を備えた弾球遊技機は、全ての弾球遊技機において利用することができる。
【図面の簡単な説明】
【００４６】
【図１】基台の根本から先端に向かって先細りになっている断面円形状の遊技球誘導体を備えた弾球遊技機における入賞装置を示した図である。
【図２】基台の根本から先端に向かって先細りになっている断面方形状の遊技球誘導体を備えた弾球遊技機における入賞装置を示した図である。
【図３】断面方形状の太さが一定の棒状の遊技球誘導体を備えた弾球遊技機における入賞装置を示した図である。
【図４】遊技球誘導体を水平方向上側に傾斜させることによって入賞率をアップさせるための構成を示す図であり、図１のＡ−Ａ断面図に相当する図である。
【図５】基台を遊技盤面に対して傾斜させることによって入賞率をアップさせるための構成を示す図であり、図１のＡ−Ａ断面図に相当する図である。
【図６】遊技球誘導体と基台の両方を傾斜させることによって入賞率をアップさせるための構成を示す図であり、図１のＡ−Ａ断面図に相当する図である。
【図７】入賞口が４箇所設けられているタイプの弾球遊技機における入賞装置を示した図である。
【図８】図７に示した入賞装置の一部破断断面図である。
【図９】入賞装置を被う屋根を遊技盤に打ち込むくぎ群で構成した弾球遊技機である。
【符号の説明】
【００４７】
１０    基台、
１２    入賞口、
１４    遊技球誘導体、
２０Ａ、２０Ｂ    ネジ、
３０    遊技盤、
３０Ａ    遊技盤面、
４０    導球路、
５０    センサ、
１００    入賞装置、
１００Ａ−１００Ｄ    入賞装置、
１１０    基台、
１１２Ａ−１１２Ｄ    入賞口、
１１４Ａ−１１４Ｄ    遊技球誘導体、
１２０Ａ、１２０Ｂ    ネジ、
１３０    遊技盤、
１３０Ａ    遊技盤面、
１４０Ａ、１４０Ｂ    屋根、
１４０    導球路、
１５０    センサ、
１６０Ａ、１６０Ｂ  遊技くぎ群、
２００    入賞装置。
【図１】
2007330341.tif 000003
【図２】
2007330341.tif 000004
【図３】
2007330341.tif 000005
【図４】
2007330341.tif 000006
【図５】
2007330341.tif 000007
【図６】
2007330341.tif 000008
【図７】
2007330341.tif 000009
【図８】
2007330341.tif 000010
【図９】
2007330341.tif 000011